【手続補正書】
【提出日】平成16年2月9日(2004.2.9)
【手続補正１】
【補正対象書類名】明細書
【補正対象項目名】全文
【補正方法】変更
【補正の内容】
【発明の名称】ＵＤ型ステイオンタブの蓋を使った缶
【特許請求の範囲】
【請求項１】
缶蓋に設けられたステイオンタブの飲み口に接する部分と、持ち上げる部分を積層に支障のない範囲までシ−ソ−状の上向きの形状にして、開口時飲み口に接する部分を下に押すことにより、反対側の持ち上げるタブが蓋とに大きな間隙ができ指先を入れ易くし、従来にない指の安全性を高め、ＵＤ化したことを特徴としたＵＤ型ステイオンタブの蓋を使った缶である。
【請求項２】
缶蓋に設けられたタブの外的要因で引っ掛かりによる横ずれを確実に制止するために、タブ中央のカシメ部分の横側（図７）に穴を設け、蓋面からの凸部をタブ平面板よりも高くしてセットしたことと、又凸部の上部をリベットし切り込み線内に固定化し、安全性を高めたことを特徴としたＵＤ型ステイオンタブの蓋を使った缶である。
【請求項３】
請求項１に関しシ−ソ−状タブをセットした時、ビ−ル、炭酸飲料等の缶において、缶内の膨張による蓋の膨れ上がりが生じ、その原因で引っ掛かりと曲折に最も危険性が懸念される。この原因を回避するために、蓋面の両端にかかる深いリムを数本設け、膨れ上がりを制止し安全性を高めたことを特徴とした、ＵＤ型ステイオンタブの蓋を使った缶である。
【請求項４】
請求項１に関して開口時ステイオンタブの飲み口に接する上向き部分に腰折れと、又引っ掛かりによる曲折で、機能消滅の懸念があり、その弱点を補強するために、タブリベット部分（図５）の両側を可能な限り長く切り落とさず、外側に二重又は三重に折り曲げて強度を二倍又は三倍にし、安全性を高めたことを特徴としたＵＤ型ステイオンタブの蓋を使った缶である。
［発明の詳細な説明］
【０００１】
［発明に属する技術分野］
この発明は、缶蓋の開口時タブに容易に指先を入れ易くした、ＵＤ型ステイオンタブの蓋を使った缶に関するものである。
【０００２】
［従来の技術］
従来のステイオンタブ缶蓋は、タブが蓋面に密着して開口時指先が入り難く開口が困難であり、苦痛でもあった。
【０００３】
［発明を解決しようとする課題］
従来のステイオンタブ缶蓋は、タブが蓋面に密着して開口時指先が入り難く大勢のユ−ザ−に苦痛を与えていた。
【０００４】
［課題を解決するための手段］
本発明は、缶蓋の中心にセットされたステイオンタブの飲み口に接する部分と指先を入れる部分を、蓋の積層に支障のない範囲で上向きのシ−ソ−状にして蓋との間隙を大きく設け、指先を入れ易くしようとしたものである。
【０００５】
蓋面の両端にかかる直線上のリムを数本設けて、ビ−ル、炭酸飲料等の内容物の膨張による蓋面の膨れ上がりを制止し、シ−ソ−状ステイオンタブのセットを可能にしたものである。
【０００６】
飲み口に接する部分のタブ上向き部分の開口時、腰折れを補強するためリベット部分の両側を、可能な限り長く切り落とさず外側に二重又は三重に折り曲げて、強度を二倍又は三倍に補強しようとしたものである。
【０００７】
タブの回転を制止するために、タブ中央リベット部分の横側に円形の穴を設け蓋面からの凸部の高さを、タブの平面板よりも０．５〜１．０ｍｍ程高くしてセットし、又凸部の上部分をリベットして固定化し、確実に制止しようとしたものである。
【０００８】
［発明実施の形態］
缶蓋の中央にリベットされたステイオンタブの飲み口を押さえる部分と、指先を入れる部分とを、シ−ソ−状に形成しようとしたものであり、飲み口に接する部分のタブを指先で下に押した時、持ち上げ部分のタブに指先の入る間隙が大きくなり、指先を痛めずに容易に入り易くしたものである。
【０００９】
蓋面の両端にかかる直線上の深いリムを数本設けて、内容物の膨張による蓋面の膨れ上がりを抑え、シ−ソ−状のステイオンタブのセットを可能にしようとしたものである。
【００１０】
ステイオンタブ上向き部分の開口時、腰折れを補強するためにカシメ部分のタブ両側板（図５−５）を切り落とさずに、外側に二重又は三重に折り重ねて強度を２〜３倍に補強しようとしたものである。
【００１１】
缶蓋タブの引っ掛かり等による左右水平回転を確実に制止するために、中央カシメ部分の横側板（図７−８）に穴を設けて、蓋面から設けた凸部の高さをタブ板より０．５〜１，０ｍｍ程高くして、セットし更に凸部の上部分をリベットしたものである。
【００１２】
［実施例］
実施例については図面を参照にして説明すると
図１は請求項１で説明したシ−ソ−状ステイオンタブ缶蓋の斜視図である。
カシメ部分を中心に左右上向きのシ−ソ−状にして、蓋面との間隙を設けたものである。
図２は請求項１で説明したシ−ソ−状ステイオンタブを積み重ねた斜視図であり、蓋の積層に支障のない範囲内での上向き形状にしたものである。
図３は請求項１で説明したステイオンタブで指先を押さえた時の形状である。
図４は請求項３で説明したステイオンタブ蓋面の断面図である。蓋面タブの左右に数本の深いリムを設けて膨れ上がりを制止したものである。
図５は請求項４で説明した図である。斜線部分は外側に折り曲げる部分である
図６は請求項４で説明した斜視図であり、斜線部分は補強する部分である。
図７は請求項２で説明した斜視図であり、符号８は横ずれ防止の凸部である。
図８は請求項２で説明した斜視図であり、符号９はリベットした凸部である。
【００１３】
［発明の効果］
本発明は、以上説明したような形態で実施され、以下に記載されるような効果を奏する。
【００１４】
本発明は、ステイオンタブを上向きのシ−ソ−状の形態にすることにより、開口時容易に指先を痛めずタブを持ち上げることを可能にしたものである。
【００１５】
本発明は、外的要因によってタブの水平回転の危険を制止するために固定化し開口時の支障をなくしたものである。
【００１６】
本発明は、蓋面に深いリムを数本設けることによって、缶内の内容物の膨張による蓋面の膨れ上がりを抑え、ＵＤ型ステイオンタブのセットを可能にしたものである。
【００１７】
本発明は、タブ上向き部分の補強により、開口時の腰折れと、又引っ掛かりによる曲折の危険を防止したものである。
【図面の簡単な説明】
図面についての説明は実施例において述べた通りである。
［図１］は請求項１で述べた斜視図である。
［図２］は請求項１で述べた斜視図である。
［図３］は請求項１で述べた斜視図である。
［図４］は請求項３で述べた断面図である。
［図５］は請求項４で述べた平面図である。
［図６］は請求項４で述べた斜視図である。
［図７］は請求項２で述べた斜視図である。
［図８］は請求項２で述べた斜視図である。
［符号の説明］
１  缶蓋
２  ステイオンタブ
３  カシメリベット部分
４  カシメ部分
５  折り曲げの部分（斜線部分）
６  リム状
７  タブの上向き部分（斜線部分）
８  水平回転（横ずれ）防止用凸部
９  回転防止用凸部のリベット部分


【手続補正２】
【補正対象書類名】図面
【補正対象項目名】全図
【補正方法】変更
【補正の内容】
【図１】
2002362553.tif 000001
【図２】
2002362553.tif 000002
【図３】
2002362553.tif 000003
【図４】
2002362553.tif 000004
【図５】
2002362553.tif 000005
【図６】
2002362553.tif 000006
【図７】
2002362553.tif 000007
【図８】
2002362553.tif 000008